(57)【要約】【課題】  文字・図形・記号等のマークを光らせるための表示光と、エンブレムを周辺側から照らし出すための周辺光とによって、これまでにない斬新なイメージを表示でき、エンブレムを含む表示部を薄く軽量に形成して車両側に簡素に取付けできる車両用発光表示装置を提供する。【解決手段】  導光部３は、透光性を有する合成樹脂で形成された導光本体部３１と、下面に非透光性シートで形成された反射層３２とを有している。導光本体部３１は、表示部５に入った光を上下方向（厚み方向）に案内・分岐するために上下方向に沿って突出状に形成された突出部３１１と、表示部５に入った光を半径方向（交差方向）に案内・分岐するために半径方向に沿って平坦状に形成された平坦部３１２とを有している。突出部３１１はエンブレム４の貫通孔部４３に対して下方から挿通されている。平坦部３１２は、その周縁がエンブレム４の周縁に沿って同一形状に形成されている。【選択図】  図２
2006160136.tif 000002
【特許請求の範囲】
【請求項１】
一方の端面が車両側に取付けられた板状又は膜状の導光部を裏面側とし、その導光部の他方の端面側に位置する板状又は膜状のエンブレムを表面側として、厚み方向に重ね合わせられた表示部を備え、
車両側の光源から前記表示部に入った光は、前記導光部で厚み方向及びそれとは交差する方向（以下、交差方向という）に案内・分岐され、
そのうち前記導光部で厚み方向に導かれた光は、文字・図形・記号等のマークを表示するために前記表示部に形成された透光部を透過して厚み方向表面側に導出され、前記マークを光らせるための表示光を構成する一方、
前記導光部で交差方向に導かれた光は、前記導光部の他方の端面を覆うように前記表示部に形成された遮光層によって厚み方向表面側への透過が妨げられ、前記導光部を通りその周縁側から交差方向外側へ向けて漏出され、前記エンブレムをその周辺側から照らし出すための周辺光を構成し、
前記エンブレムは前記表示光と前記周辺光とによって複合的に照射されることを特徴とする車両用発光表示装置。
【請求項２】
一方の端面が車両側に取付けられた板状の導光部を裏面側とし、その導光部の他方の端面側に位置する板状のエンブレムを表面側として、厚み方向に重ね合わせられて固定された表示部を備え、
前記エンブレムは、透光性を有する合成樹脂製のエンブレム本体部と厚み方向の少なくとも表面に形成された金属性の遮光層とを有し、
車両側の光源から前記表示部に入った光は、前記導光部で厚み方向及びそれとは交差する方向（以下、交差方向という）に案内・分岐され、
そのうち前記導光部で厚み方向に導かれた光は、文字・図形・記号等のマークを表示するために前記遮光層に形成された透光部を透過して厚み方向表面側に導出され、前記マークを光らせるための表示光を構成する一方、
前記導光部で交差方向に導かれた光は、前記エンブレムの遮光層によって厚み方向への透過が妨げられ、少なくとも前記導光部を通りその周縁部から交差方向外側へ向けて漏出され、前記エンブレムの遮光層をその周辺側から照らし出すための周辺光を構成し、
前記エンブレムは前記表示光と前記周辺光とによって複合的に照射されることを特徴とする車両用発光表示装置。
【請求項３】
一方の端面が車両側に取付けられた板状の導光部を裏面側とし、その導光部の他方の端面側に位置する板状のエンブレムを表面側として、前記導光部の他方の端面を覆うための遮光層を介して厚み方向に重ね合わせられて一体成形された表示部を備え、
車両側の光源から前記導光部に入った光は、前記導光部で厚み方向及びそれとは交差する方向（以下、交差方向という）に案内・分岐され、
そのうち前記導光部で厚み方向に導かれた光は、文字・図形・記号等のマークを表示するために前記遮光層に形成された透光部を透過して厚み方向表面側に導出され、前記マークを光らせるための表示光を構成する一方、
前記導光部で交差方向に導かれた光は、前記遮光層によって厚み方向表面側への透過が妨げられ、前記導光部を通りその周縁部から交差方向外側へ向けて漏出され、前記エンブレムをその周辺側から照らし出すための周辺光を構成し、
前記エンブレムは前記表示光と前記周辺光とによって複合的に照射されることを特徴とする車両用発光表示装置。
【請求項４】
一方の端面が車両側に取付けられた板状の導光部を裏面側とし、その導光部の他方の端面側に位置して金属性の遮光層を構成する膜状のエンブレムを表面側として、厚み方向に重ね合わせられて一体的に形成された表示部を備え、
車両側の光源から前記導光部に入った光は、前記導光部で厚み方向及びそれとは交差する方向（以下、交差方向という）に案内・分岐され、
そのうち前記導光部で厚み方向に導かれた光は、文字・図形・記号等のマークを表示するために前記エンブレムに形成された透光部を透過して厚み方向表面側に導出され、前記マークを光らせるための表示光を構成する一方、
前記導光部で交差方向に導かれた光は、前記エンブレムによって厚み方向表面側への透過が妨げられ、前記導光部を通りその周縁部から交差方向外側へ向けて漏出され、前記エンブレムをその周辺側から照らし出すための周辺光を構成し、
前記エンブレムは前記表示光と前記周辺光とによって複合的に照射されることを特徴とする車両用発光表示装置。
【請求項５】
前記導光部は、透光性を有する合成樹脂製の導光本体部と車両側取付面に形成された反射層とを有し、
点状をなす前記光源から前記表示部に入った光は、前記導光本体部で厚み方向及び交差方向に案内・分岐され、
そのうち前記導光本体部で厚み方向に導かれた光は、文字・図形・記号等のマークを表示するために前記透光部を透過して厚み方向表面側に導出され、前記マークを光らせるための表示光を構成する一方、
前記導光本体部で交差方向に導かれた光は、前記導光部の反射層と前記遮光層とによって厚み方向への透過が妨げられるとともに反射され、前記導光本体部を通りその周縁側から交差方向外側へ向けて漏出され、前記エンブレムをその周辺側から照らし出すための周辺光を構成し、
前記エンブレムは前記表示光と前記周辺光とによって複合的に照射される請求項１ないし４のいずれか１項に記載の車両用発光表示装置。
【請求項６】
前記導光本体部は、前記表示部に入った光を厚み方向に案内・分岐するために厚み方向に沿って突出状に形成された突出部と、前記表示部に入った光を交差方向に案内・分岐するために交差方向に沿って平坦状に形成された平坦部と、を有し、
前記突出部の先端側から前記表示光が導出されるとともに、前記平坦部の周縁側から前記周辺光が漏出される請求項５に記載の車両用発光表示装置。
【請求項７】
前記導光本体部の突出部は、前記透光部に対して厚み方向に挿通され、
前記導光本体部の平坦部は、その周縁が前記エンブレムの周縁に沿ってほぼ同一形状に形成されている請求項６に記載の車両用発光表示装置。
【請求項８】
前記表示光と前記周辺光とは前記光源を共有し、かつ互いに異色の光となって放出される請求項１ないし７のいずれか１項に記載の車両用発光表示装置。
【発明の詳細な説明】
【技術分野】
【０００１】
本発明は、自動車等の車両に取付けられるエンブレムを用いた車両用発光表示装置に関する。
【背景技術】
【０００２】
自動車等の外部（ラジエータグリル、テールエンドパネル、ボンネット等）又は内部（車室内のインストルメントパネル等）には、メーカ名・車種・型式等を文字・図形・記号等のマークによって表示したエンブレム（オーナメントとも称する）が取付けられている。そして、昼間のみならず夜間においてもこれらのエンブレムを視認できるようにするため、このようなエンブレムに発光ダイオード（ＬＥＤ）、エレクトロルミネセンス（ＥＬ）、ランプ等の光源（発光体）を組み込む工夫がなされている。例えば、車両側に取付けた光源からの光をエンブレムのマーク部分に直接的に又は光ファイバを介して間接的に照射して、夜間におけるマーク部分の視認性を向上させる技術が開示されている（特許文献１，２参照）。このうち、特許文献１のように発光効率の高いＬＥＤを用いる場合には、駆動電圧を低くできるため安価な構成にできる利点がある。また、特許文献２のように光ファイバを介在させる場合には、伝搬途中での減衰が少なく均一な照明が可能となるため光源の個数を減らすことができる利点がある。
【０００３】
【特許文献１】実開平５−１５９７号公報
【特許文献２】特開平８−２３４２号公報
【０００４】
しかし、これらのようにエンブレムのマーク部分を照明（表示）する場合には、透過光（表示光）が眩しく感じられたり暗く感じられたりすると、メーカーイメージ等をかえって低下させるおそれがある。そのため、周囲環境の変化に対応してマーク部分を透過する光量を調節する技術を付加しなければ、これらの技術をそのままでは適用できないケースがある。また、光源、光ファイバ等を組み込むために、エンブレム自体が大型化・重量化したり、エンブレムの車両側への取付けが複雑化したりするおそれがある。そのため、走行中の振動が比較的大きい場所ではこれらの技術をそのままでは適用できないケースがある。
【発明の開示】
【発明が解決しようとする課題】
【０００５】
本発明の課題は、文字・図形・記号等のマークを光らせるための表示光と、エンブレムを周辺側から照らし出すための周辺光とによって、これまでにない斬新なイメージを表示でき、エンブレムを含む表示部を薄く軽量に形成して車両側に簡素に取付けできる車両用発光表示装置を提供することにある。
【課題を解決するための手段及び発明の効果】
【０００６】
上記課題を解決するために、本発明に係る車両用発光表示装置は、
一方の端面が車両側に取付けられた板状又は膜状の導光部を裏面側とし、その導光部の他方の端面側に位置する板状又は膜状のエンブレムを表面側として、厚み方向に重ね合わせられた表示部を備え、
車両側の光源から前記表示部に入った光は、前記導光部で厚み方向及びそれとは交差する方向（以下、交差方向という）に案内・分岐され、
そのうち前記導光部で厚み方向に導かれた光は、文字・図形・記号等のマークを表示するために前記表示部に形成された透光部を透過して厚み方向表面側に導出され、前記マークを光らせるための表示光を構成する一方、
前記導光部で交差方向に導かれた光は、前記導光部の他方の端面を覆うように前記表示部に形成された遮光層によって厚み方向表面側への透過が妨げられ、前記導光部を通りその周縁側から交差方向外側へ向けて漏出され、前記エンブレムをその周辺側から照らし出すための周辺光を構成し、
前記エンブレムは前記表示光と前記周辺光とによって複合的に照射されることを特徴とする。
【０００７】
このように、文字・図形・記号等のマーク部分は導光部で厚み方向に導かれた表示光によって光り、導光部で交差方向に導かれ導光部の周縁側から漏れ出した周辺光によってエンブレムは周辺側から照らし出される。これによって、エンブレムの周辺部が淡く光り空中に浮かんだように見え、その中にマーク部分がくっきりと発光表示されるので、これまでにない斬新なイメージを表示でき、メーカ・車種・型式等のイメージアップを図ることができる。また、表示部に遮光層を形成することにより、表示部のその他の部分（主体となる部分）を合成樹脂等で構成することも可能となるので、表示部を薄くかつ軽量化できる。しかも、板状又は膜状の導光部がエンブレムを車両側に取付けるための土台となるので、エンブレムの車両側への取付けを簡素で強固なものとすることができる。したがって、例えばラジエータグリルのように走行中の振動が比較的大きい場所であっても、特別な取付構造を用いることなく薄く軽い表示部を車両側にしっかり固定することができる。さらに、導光部を用いることによって厚み方向及び交差方向への光の伝搬途中での減衰が少なく均一で効率的な照明が可能となり、省電力化・長寿命化を図ることができる。
【０００８】
ここで、「遮光層」には、湿式めっき、真空蒸着、スパッタリング、塗装、印刷、ホットスタンプ等により形成される遮光金属層（金属製又は金属性の遮光層；金属薄膜）以外に、遮光性を有する合成樹脂製シート、合成樹脂製フィルム等により形成される遮光樹脂層等も含まれる。また、このような遮光層はエンブレムの厚み方向表面・裏面・中間のいずれの部分にも形成でき、エンブレムとは別に（別体に）設けてもよい。
【０００９】
次に、上記課題を解決するために、本発明に係る車両用発光表示装置の第一の具体的態様は、
一方の端面が車両側に取付けられた板状の導光部を裏面側とし、その導光部の他方の端面側に位置する板状のエンブレムを表面側として、厚み方向に重ね合わせられて固定された表示部を備え、
前記エンブレムは、透光性を有する合成樹脂製のエンブレム本体部と厚み方向の少なくとも表面に形成された金属性の遮光層とを有し、
車両側の光源から前記表示部に入った光は、前記導光部で厚み方向及びそれとは交差する方向（以下、交差方向という）に案内・分岐され、
そのうち前記導光部で厚み方向に導かれた光は、文字・図形・記号等のマークを表示するために前記遮光層に形成された透光部を透過して厚み方向表面側に導出され、前記マークを光らせるための表示光を構成する一方、
前記導光部で交差方向に導かれた光は、前記エンブレムの遮光層によって厚み方向への透過が妨げられ、少なくとも前記導光部を通りその周縁部から交差方向外側へ向けて漏出され、前記エンブレムの遮光層をその周辺側から照らし出すための周辺光を構成し、
前記エンブレムは前記表示光と前記周辺光とによって複合的に照射されることを特徴とする。
【００１０】
このように、それぞれ別体で（別々に）形成されたエンブレムと導光部とを重ね合わせて固定することにより表示部を構成する場合には、既製のエンブレムをそのまま用いて本発明の発光表示装置を実施することができる。したがって、上記と同様に走行中の振動が比較的大きい場所であっても、特別な取付構造を用いなくても薄く軽い表示部を車両側にしっかり固定することができる。また、エンブレムの厚み方向表面には、例えば湿式めっき等により金属性の遮光層が形成されているので、日中の自然光の下では金属光沢を表示し、夜間には表示光と周辺光とによって複合的に照射されることで、エンブレムは上記した斬新なイメージを表示できる。その際、表面の金属性の遮光層によって合成樹脂製のエンブレム本体部の耐候性を向上させ、紫外線や酸性雨による劣化の防止を図ることができる。なお、エンブレムの製造工程において、エンブレムの厚み方向表面のみならず裏面側にもめっき層が形成される場合でも、表裏両面にめっき層が形成されたエンブレムをそのまま用いることができる。
【００１１】
また、上記課題を解決するために、本発明に係る車両用発光表示装置の第二の具体的態様は、
一方の端面が車両側に取付けられた板状の導光部を裏面側とし、その導光部の他方の端面側に位置する板状のエンブレムを表面側として、前記導光部の他方の端面を覆うための遮光層を介して厚み方向に重ね合わせられて一体成形された表示部を備え、
車両側の光源から前記導光部に入った光は、前記導光部で厚み方向及びそれとは交差する方向（以下、交差方向という）に案内・分岐され、
そのうち前記導光部で厚み方向に導かれた光は、文字・図形・記号等のマークを表示するために前記遮光層に形成された透光部を透過して厚み方向表面側に導出され、前記マークを光らせるための表示光を構成する一方、
前記導光部で交差方向に導かれた光は、前記遮光層によって厚み方向表面側への透過が妨げられ、前記導光部を通りその周縁部から交差方向外側へ向けて漏出され、前記エンブレムをその周辺側から照らし出すための周辺光を構成し、
前記エンブレムは前記表示光と前記周辺光とによって複合的に照射されることを特徴とする。
【００１２】
このように、中間の遮光層を介して導光部とエンブレムとを一体成形する場合にも、上記と同様に夜間にはエンブレムが表示光と周辺光とによって複合的に照射されることで上記した斬新なイメージを表示でき、薄く軽く形成された表示部を車両側に固定することができる。その際、中間の遮光層によって厚み方向の表示光と交差方向の周辺光とを無駄なく分岐することができる。しかも、例えば中間の遮光層としての遮光フィルムを挟んで射出成形するフィルムインサート成形を行えば、既存のエンブレムを導光部と一体化させて強固な表示部及び車両側への固定構造とすることができる。
【００１３】
さらに、上記課題を解決するために、本発明に係る車両用発光表示装置の第三の具体的態様は、
一方の端面が車両側に取付けられた板状の導光部を裏面側とし、その導光部の他方の端面側に位置して金属性の遮光層を構成する膜状のエンブレムを表面側として、厚み方向に重ね合わせられて一体的に形成された表示部を備え、
車両側の光源から前記導光部に入った光は、前記導光部で厚み方向及びそれとは交差する方向（以下、交差方向という）に案内・分岐され、
そのうち前記導光部で厚み方向に導かれた光は、文字・図形・記号等のマークを表示するために前記エンブレムに形成された透光部を透過して厚み方向表面側に導出され、前記マークを光らせるための表示光を構成する一方、
前記導光部で交差方向に導かれた光は、前記エンブレムによって厚み方向表面側への透過が妨げられ、前記導光部を通りその周縁部から交差方向外側へ向けて漏出され、前記エンブレムをその周辺側から照らし出すための周辺光を構成し、
前記エンブレムは前記表示光と前記周辺光とによって複合的に照射されることを特徴とする。
【００１４】
このように、導光部と金属性の遮光層を構成する膜状のエンブレムとを一体的に形成する場合にも、上記と同様に夜間にはエンブレムが表示光と周辺光とによって複合的に照射されることで上記した斬新なイメージを表示でき、薄く軽く形成された表示部を車両側に固定することができる。しかも、例えば射出成形された導光部に対して蒸着等により遮光層である膜状のエンブレムを重ね合わせることによって、安価かつ強固な表示部及び車両側への固定構造とすることができる。
【００１５】
ところで、これらの車両用発光表示装置において、
導光部は、透光性を有する合成樹脂製の導光本体部と車両側取付面（厚み方向裏面）に形成された反射層とを有し、
点状をなす光源から表示部に入った光は、導光本体部で厚み方向及び交差方向に案内・分岐され、
そのうち導光本体部で厚み方向に導かれた光は、文字・図形・記号等のマークを表示するために透光部を透過して厚み方向表面側に導出され、マークを光らせるための表示光を構成する一方、
導光本体部で交差方向に導かれた光は、導光部の反射層と遮光層とによって厚み方向への透過が妨げられるとともに反射され、導光本体部を通りその周縁側から交差方向外側へ向けて漏出され、エンブレムをその周辺側から照らし出すための周辺光を構成し、
エンブレムを表示光と周辺光とによって複合的に照射するようにしてもよい。
【００１６】
このように、導光部に反射層を形成すれば、遮光層と相まって周辺光の伝搬途中での減衰がさらに少なくなり、一層の省電力化・長寿命化を図ることができる。
【００１７】
そして、導光本体部は、表示部に入った光を厚み方向に案内・分岐するために厚み方向に沿って突出状に形成された突出部と、表示部に入った光を交差方向に案内・分岐するために交差方向に沿って平坦状に形成された平坦部と、を有し、突出部の先端側から表示光を導出するとともに、平坦部の周縁側から周辺光を漏出することができる。光源からの光を導光本体部に導入すれば、導光本体部に形成される突出部と平坦部とによって厚み方向と交差方向とに案内・分岐されるので、表示光と周辺光とによるエンブレムの複合的な照射が容易に行える。
【００１８】
また、導光本体部の突出部を透光部に対して厚み方向に挿通し、導光本体部の平坦部の周縁をエンブレムの周縁に沿ってほぼ同一形状に形成することが望ましい。これによって、導光本体部の周縁側から漏れ出した光がエンブレムの周縁をムラなくほぼ均等に照らすことができ、見る側に届きやすくなる。その際、エンブレム及び導光部が、外周縁で開口しかつ厚み方向に貫通する切欠をそれぞれ有する場合には、導光本体部の切欠の外周縁はエンブレムの切欠の外周縁に沿ってほぼ同一形状となる。なお、エンブレム及び導光部が厚み方向に貫通する貫通孔をそれぞれ有する場合には、導光本体部の（貫通孔の）内周縁をエンブレムの（貫通孔の）内周縁に沿ってほぼ同一形状とすれば、導光本体部の内周縁部から漏れ出した光が対向する内周縁部で反射することにより、貫通孔をも浮かび上がらせて見せることができ、更なるイメージアップを図ることができる。
【００１９】
導光部（平坦部）の外周縁部には、外側へ向かうにつれて車両側に近づくような面取り部を形成してもよい。これによって、導光部（平坦部）を通過した光は、厚み方向と直交する方向ばかりでなく面取り部から見る側へ向かう斜め方向にも漏れ出しやすくなり、エンブレムの視認性が向上する。なお、面取り部は斜面（平面）状、曲面（例えば球面アール）状のいずれに形成されていてもよい。また、エンブレム及び導光部が厚み方向に貫通する貫通孔をそれぞれ有する場合には、導光部（平坦部）の内周縁部に、内側へ向かうつれて車両側に近づくような面取り部を形成してもよい。
【００２０】
導光部（平坦部）の外周縁部には、外側へ向かうにつれて車両側から遠ざかるような面取り部を形成してもよい。これによって、導光部（平坦部）を通過した光は、厚み方向と直交する方向ばかりでなく面取り部から斜め方向にも漏れ出しやすくなり、車両側の取付面で反射されてエンブレムを浮かび上がるように照らし出すので、エンブレムの視認性が向上する。なお、面取り部は斜面（平面）状、曲面（例えば球面アール）状のいずれに形成されていてもよい。また、エンブレム及び導光部が厚み方向に貫通する貫通孔をそれぞれ有する場合には、導光部（平坦部）の内周縁部に、内側へ向かうつれて車両側から遠ざかるような面取り部を形成してもよい。
【００２１】
ここで、上記「周縁に沿ってほぼ同一形状」とは下記（１）〜（３）のいずれかを意味する。
（１）導光部（平坦部）の外周縁（内周縁）が、エンブレムの外周縁（内周縁）とほぼ全周（すなわち周長の７０％以上）にわたり一致して形成されていること；
（２）導光部（平坦部）の外周縁（内周縁）が、エンブレムの外周縁（内周縁）からほぼ一定距離だけ外側（内側）に離間（すなわち離間距離の変化割合が１０％以内）しつつ、ほぼ全周（すなわち周長の７０％以上）にわたり平行状に形成されていること；
（３）導光部（平坦部）の外周縁（内周縁）が、エンブレムの外周縁（内周縁）からほぼ一定距離だけ内側（外側）に離間（すなわち離間距離の変化割合が１０％以内）しつつ、ほぼ全周（すなわち周長の７０％以上）にわたり平行状に形成されていること。
【００２２】
さらに、表示光と周辺光とが光源を共有し、かつ互いに異色の光となって放出される場合には、表示光と周辺光とによりエンブレムを空中に浮かんだように幻想的に表示することが容易となる。なお、異色光を形成するには、色相、彩度、明度のうち少なくともいずれかを異ならせることによって行えばよい。
【発明を実施するための最良の形態】
【００２３】
（実施例１）
次に、本発明の実施の形態を、図面を用いて説明する。図１は本発明に係る車両用発光表示装置の一例を示す正面図であり、図２（ａ）は図１のＡ−Ａ断面図、図２（ｂ）はＢ−Ｂ断面図である。図２に示すように車両用発光表示装置（以下、単に表示装置ともいう）１は、表示部５と、車両側に配置された１又は複数の点状の光源６（例えば１個のＬＥＤ）とを備えている。表示部５は、一方の端面が車両側（例えば車両外部のラジエータグリル等又は車両内部のインストルメントパネル等）の取付面２に接着層ａを介して取付けられた板状の導光部３を裏面側（下方）に配置し、その導光部３の他方の端面側に位置する板状のエンブレム４を表面側（上方）に配置し、それらが厚み方向（上下方向）に重ね合わせられて、両面テープ等の接着層ｂを介して貼り合わせ固定されている。なお、ここに図示したエンブレム４は比較的平坦で単純な形状で表されているが、実際には重厚感や質感を持たせるために種々の凹凸が形成された三次元形状を有している。それに合わせて導光部３にも三次元的な構造が付与される場合が多い。ここで「板状」とは、表面の広がり（長さ,幅,奥行）に比べて厚みが薄く（例えば最大厚さが最大長さの１／５以下）形成されていることを表し、全体が平面的（平坦）であることは必ずしも意味しない。
【００２４】
図１に示すように表示部５（導光部３及びエンブレム４）は、円形状をなし、中央連結部７を挟んで、厚み方向に貫通する半月状の貫通孔８,８を有している。図１のように表示部５を上方側（厚み方向表面側；取付面２と反対側）から見たとき、導光部３とエンブレム４とは同一形状に形成されている。導光部３の外周縁はエンブレム４の外周縁の外側に一定距離だけ離間して位置するように形成され、かつ貫通孔８,８において導光部３の内周縁はエンブレム４の内周縁の内側に一定距離だけ離間して位置するように形成されている。
【００２５】
エンブレム４（表示部５）の中央連結部７には、文字・図形・記号等のマークＭを表示するために貫通孔部４３（透光部）が形成されている。具体的には、エンブレム４に上下方向に沿って貫通形成された貫通孔部４３に、マークＭが表面（上方）に表示（形成）され、透光性を有する合成樹脂（例えばアクリル樹脂或いはポリカーボネート樹脂など）製のレンズ４４（又はカバーでもよい）を埋め込んである。なお、レンズ４４に表示されたマークＭ以外の部分には、アルミめっき等の遮光層４５が形成されている（図２参照）。
【００２６】
図２に戻り、導光部３は、透光性を有する合成樹脂（例えばアクリル樹脂或いはポリカーボネート樹脂など）で形成された導光本体部３１と、下面（車両側取付面；厚み方向裏面）に非透光性シートで形成された反射層３２とを有している。導光部３の中心部（表示部５の中央連結部７の中心部）に、反射層３２を貫通して形成された光導入孔３３に対向して光源６が配置されている。導光本体部３１は、表示部５に入った光を上下方向（厚み方向）に案内・分岐するために上下方向に沿って突出状に形成された突出部３１１と、表示部５に入った光を半径方向（交差方向）に案内・分岐するために半径方向に沿って平坦状に形成された平坦部３１２とを有している。この突出部３１１はエンブレム４の貫通孔部４３に対して下方から挿通されている。また、平坦部３１２は、前述の通り、その周縁がエンブレム４の周縁に沿って同一形状に形成されている。なお、導光本体部３１の下面には、光導入孔３３を介して導入された光源６からの光を上下方向と半径方向とに案内・分岐させるために、上方に狭くなる截頭角錐状又は截頭円錐状の凹部３１０（窪み）が形成されている。
【００２７】
図２（ａ）に示すように、導光本体部３１の外周縁部には、導光部３の上下方向に平行な周面３４と、エンブレム４の外周縁部より外側に位置する表面３５と、両面３４,３５間に位置する面取り部３６とが形成されている。面取り部３６には、表面３５から外側へ向かうにつれて低くなる（取付面２に近づく）傾斜が設けられている。また、図２（ｂ）に示すように、導光本体部３１の内周縁部には、導光部３の上下方向に平行な周面３４’と、エンブレム４の内周縁部より内側に位置する表面３５’と、両面３４’,３５’間に位置する面取り部３６’とが形成されている。面取り部３６’には、表面３５’から内側へ向かうにつれて低くなる（取付面２に近づく）傾斜が設けられている。
【００２８】
エンブレム４は、透光性を有する合成樹脂（例えばアクリル樹脂或いはポリカーボネート樹脂など）で形成されたエンブレム本体部４１と、エンブレム本体部４１の上面（厚み方向の表面）に湿式めっきで形成された金属（例えばアルミニウム）製の遮光層４２とを有している。エンブレム４（エンブレム本体部４１）の外周縁（及び内周縁）における上下方向に平行な周面にも遮光層４２が形成される。なお、前述の貫通孔部４３は、エンブレム本体部４１と遮光層４２とを貫通して上下方向に形成されている。
【００２９】
図３は、表示部５の組立方法を示す。導光部３は、射出成形された導光本体部３１の下面に反射層となる非透光性シート３２が接着層ｃを介して貼り付けされている。エンブレム４は、射出成形されたエンブレム本体部４１の上面にアルミめっきが施され、遮光層４２が形成されている。また、マークＭを表示するレンズ４４が予め準備されている。そして、導光本体部３１の突出部３１１をエンブレム４の貫通孔部４３に挿通すると、導光部３（平坦部３１２上面）とエンブレム４（エンブレム本体部４１下面）とが接着層ｂ（例えば両面テープ）で接着される。さらに、エンブレム４の貫通孔部４３にレンズ４４を嵌め込むと、表示部５として一体化される。このように形成された表示部５は、非透光性シート３２の下面の接着層ａを介して取付面２に貼り付け固定される。なお、非透光性シート３２は上面に接着層ｃ、下面に接着層ａをそれぞれ有する両面テープとして構成することができる。
【００３０】
図２に示す表示装置１において、光導入孔３３から表示部５に入った光源６の光は、導光本体部３１の凹部３１０で上下方向と半径方向とに案内・分岐される。このうち導光本体部３１で上下方向に導かれた光は、突出部３１１の先端側からレンズ４４（貫通孔部４３）を透過して上方側に導出され、レンズ４４に表示されたマークＭを光らせて表示光Ｌ１となる。一方、導光本体部３１で半径方向に導かれた光は、導光部３の反射層３２とエンブレム４の遮光層４２とによって上下方向への透過が妨げられて反射され、導光本体部３１及びエンブレム本体部４１を通り平坦部３１２の周縁側から半径方向外側へ向けて漏出され、エンブレム４の遮光層４２を周辺側から照らし出す周辺光Ｌ２となる。表示光Ｌ１と周辺光Ｌ２とは光源６を共有し、互いに異色の光となって放出されるように、例えば、レンズ４４と導光本体部３１（平坦部３１２）とを異なる色に着色してある。
【００３１】
このように、エンブレム４は表示光Ｌ１と周辺光Ｌ２とによって複合的に照射される。したがって、エンブレム４の周辺部が周辺光Ｌ２によって淡く光り空中に浮かんだように見え、その中にマークＭが表示光Ｌ１によってくっきりと発光表示され、これまでにない斬新なイメージが形成される。その際、周辺光Ｌ２は、平坦部３１２の外周縁部から半径方向のみならず、斜め方向、或いは上方にも漏出するので、周辺光Ｌ２が見る側に届きやすくなる。また、貫通孔８,８部分において、導光部３（導光本体部３１）の内周縁部から漏れ出した光が対向する内周縁部で反射することにより、貫通孔８,８をも浮かび上がらせて見せることができ、更なるイメージアップを図ることができる。
【００３２】
さらに、エンブレム４の表面に遮光層４２を形成することにより、導光本体部３１及びエンブレム本体部４１を合成樹脂で構成でき、表示部５が薄く軽量になる。同時に、表面の金属製の遮光層４２によって合成樹脂製のエンブレム本体部４１の耐候性（紫外線や酸性雨による劣化の防止）が向上する。しかも、板状の導光部３がエンブレム４を車両側の取付面２に取付けるための土台となるので、エンブレム４の車両側への取付けが簡素で強固となる。したがって、表示装置１がラジエータグリルに取付けられ、走行中の振動が大きくなっても、表示部５の車両側への固定が不安定となることはない。さらに、導光部３の反射層３２とエンブレム４の遮光層４２とによって周辺光Ｌ２の伝搬途中での減衰が少なくなり、均一で効率的に照明できるので、省電力・長寿命となる。
【００３３】
なお、それぞれ別体で形成されたエンブレム４と導光部３とを重ね合わせて接着・固定することにより表示部５を構成するので、既製のエンブレム４をそのまま用いて表示装置１とすることができる。
【００３４】
（変形例）
図４は、図２（実施例１）の変形例を表わしている。エンブレム４の製造工程において、エンブレム４の上面（厚み方向表面）のみならず下面（裏面）側にもめっき層４２（遮光層）が形成された場合でも、表裏両面にめっき層４２が形成されたエンブレム４をそのまま用いることができる。すなわち、導光本体部３１で半径方向に導かれた光は、エンブレム４の裏面側の遮光層４２と導光部３の反射層３２とによって上下方向への透過が妨げられて反射され、導光本体部３１を通り平坦部３１２の周縁側から漏出して、エンブレム４の遮光層４２を周辺側から照らし出す周辺光Ｌ２となる。
【００３５】
また、図４のエンブレム４には、下面側の遮光層４２を貫通しエンブレム本体部４１の下半部に達する凹部４３’（透光部）が形成され、凹部４３’に導光本体部３１の突出部３１１が下方から挿通されている。そして、エンブレム４上面の遮光層４２に直接マークＭが表示されている。なお、図４において、図２と共通の機能を有する部分には同一の符号を付して説明を省略する。
【００３６】
（実施例２）
図５は、本発明に係る車両用発光表示装置の他の例を示す。図５の表示装置１００において、表示部５０は、板状のエンブレム４０と、板状の導光部３０とが、導光部３０の上面（車両側取付面と反対の面；厚み方向表面）を覆う遮光層５２（例えば遮光フィルム）を介して上下方向に重ね合わせられて一体成形されている。このような一体成形方法としてここではフィルムインサート成形を行っている。具体的には、固定型（図示せず）に既製のエンブレム４０を挿入固定し、エンブレム４０の厚み方向裏面に遮光フィルム５２を保持して、キャビティ（図示せず）に合成樹脂（例えばアクリル樹脂）を射出する方法である。成形後に導光部３０の下面（車両側取付面；厚み方向裏面）に反射層３２（例えば非透光性シート）を接着すると表示部５０が完成する。表示装置１００では、導光本体部３１で半径方向に導かれた光は、遮光層５２と導光部３００の反射層３２とによって上下方向への透過が妨げられて反射され、導光本体部３１を通り平坦部３１２の周縁側から漏出して、エンブレム４０の遮光層４２を周辺側から照らし出す周辺光Ｌ２となる。
【００３７】
このように、中間の遮光層５２を介して導光部３０とエンブレム４０とを一体成形する場合、中間の遮光層５２としての遮光フィルムを挟んで射出成形するフィルムインサート成形を行うことによって、既製のエンブレム４０を導光部３０と一体化させて強固な表示部５０とすることができる。なお、図５において、図２及び図４と共通の機能を有する部分には同一の符号を付して説明を省略する。
【００３８】
（実施例３）
図６は、本発明に係る車両用発光表示装置のさらに他の例を示す。図６の表示部５００は金属製の遮光層（例えばアルミ蒸着層）を構成する膜状のエンブレム４００と、板状の導光部３００とが上下方向に重ね合わせられて一体的に形成されている。ここでは、射出成形された導光部３００（導光本体部３１）の突出部３１１の上端面及び周面と平坦部３１２の上面とにアルミ蒸着して膜状のエンブレム４００を形成する。その後に導光部３００（導光本体部３１）の下面に面状発光体６００（例えばＥＬ；光源）を接着すると表示装置２００が完成する。エンブレム４００（遮光層）にはマークＭを表示するための窓部４３”（透光部）が形成されている。表示装置２００では、面状発光体６００からの光は、導光本体部３１で上下方向と半径方向とに案内・分岐される。このうち導光本体部３１で上下方向に導かれた光は、突出部３１１の先端側から窓部４３”を透過して上方側に導出され、マークＭを表示する。一方、導光本体部３１で半径方向に導かれた光は、導光本体部３１を通り平坦部３１２の周縁側から半径方向外側へ向けて漏出され、エンブレム４００（遮光層）を周辺側から照らし出す。
【００３９】
このように、金属製の遮光層を構成する膜状のエンブレム４００と導光部３００とを一体的に形成する場合、射出成形された導光部３００に対してエンブレム４００を蒸着により一体化することによって、安価かつ強固な表示部５００とすることができる。なお、面状発光体６００は上面に接着層ｃ’、下面に接着層ａ’をそれぞれ有する両面テープとして構成することができる。また、図６において、図２と共通の機能を有する部分には同一の符号を付して説明を省略する。
【００４０】
図７は、導光本体部３１の周縁部（外周縁部,内周縁部）の変形構造を示し、図７（ａ）（ｂ）（ｃ）はそれぞれ図２（実施例１）、図４（変形例）、図５（実施例２）に対応している。これらの変形構造のうち外周縁部に着目すると、導光本体部３１（平坦部３１２）の外周縁部には表面３５から外側へ向かうにつれて曲面（例えば球面アール）状に低くなる（取付面２に近づく）面取り部３７が形成されている。このように、曲面状の面取り部３７を設けることにより、導光本体部３１を通る光は、平坦部３１２の周縁部からより広く分布して漏出することになる。内周縁部の変形構造についても同様である。なお、図７において、図２、図４、図５と共通の機能を有する部分には同一の符号を付して説明を省略する。
【００４１】
図８は、導光本体部３１の周縁部（外周縁部,内周縁部）の他の変形構造を示し、図８（ａ）（ｂ）（ｃ）はそれぞれ図２（実施例１）、図４（変形例）、図５（実施例２）に対応している。このうち図８（ａ）は、導光部３の外周縁がエンブレム４の外周縁と一致して形成されている場合を示す。この導光部３（平坦部３１２）の外周縁部には、外側へ向かうにつれて車両側から遠ざかるような傾斜を有する面取り部３８が導光本体部３１の厚み全体にわたって形成されている。これによって、導光本体部３１の平坦部３１２から漏れ出した光は車両側の取付面２で反射してエンブレム４を照らし出すので、エンブレム４の視認性が向上する。
【００４２】
図８（ｂ）は、導光部３の外周縁がエンブレム４の外周縁から一定距離だけ外側に離間している場合を示す。この導光部３（平坦部３１２）の外周縁部には、外側へ向かうにつれて車両側から遠ざかるような傾斜を有する面取り部３８が形成されている。具体的には、導光本体部３１（平坦部３１２）の外周縁部には、エンブレム４の外周縁部より外側に位置する表面３５と、導光部３の厚さ方向に平行な周面３９と、上記面取り部３８とが連続して形成されている。この実施例においても、導光本体部３１の平坦部３１２から漏れ出した光は、車両側の取付面２で反射することになる。
【００４３】
図８（ｃ）にも図８（ｂ）と同様に面取り部３８が形成されている。ただし、この実施例では、エンブレム４０の外周縁部に、外側へ向かうにつれて車両側に近づくような傾斜を有する面取り部４８が形成されている。そして、導光本体部３１（平坦部３１２）の面取り部３８の内縁は、エンブレム４０の外周縁よりも内側にまで達している。
【００４４】
なお、図８の各図に示す平面状の面取り部３８に代えて、図７に示すような曲面状の面取り部を用いてもよい。また、内周縁部の変形構造についても同様である。さらに、図８において、図２、図４、図５と共通の機能を有する部分には同一の符号を付して説明を省略する。
【００４５】
実施例３（図６）では、導光部３００の外周縁（及び内周縁）は、エンブレム４００の外周縁（内周縁）と一致させてある。既述の実施例１、変形例、実施例２においても、同様に導光部３,３０の周縁をエンブレム４,４０の周縁と一致させてもよい。
【００４６】
また、点状の光源６は１個設けた例を示したが、図２（ａ）に破線で示すように、例えば導光部３の円周部（中央連結部７の両端部をつなぐ外周部）に複数個（例えば左右２個）光源６１,６２を設けてもよい。さらに、図２、図４、図５に表わされた点状の光源６に代えて図６に示す面状発光体６００を用いてもよい。
【図面の簡単な説明】
【００４７】
【図１】本発明の車両用発光表示装置の一例を示す正面図。
【図２】図１のＡ−Ａ断面図及びＢ−Ｂ断面図。
【図３】図１の表示部の組立方法を表わす断面図。
【図４】図２の変形例を表わす断面図。
【図５】本発明の車両用発光表示装置の他の例を表わす断面図。
【図６】本発明の車両用発光表示装置のさらに他の例を表わす断面図。
【図７】導光本体部の周縁部の変形構造を示す断面図。
【図８】導光本体部の周縁部の他の変形構造を示す断面図。
【符号の説明】
【００４８】
１      車両用発光表示装置
３      導光部
３１    導光本体部
３１１  突出部
３１２  平坦部
３２    反射層
４      エンブレム
４１    エンブレム本体部
４２    遮光層
４３    貫通孔部（透光部）
５      表示部
５２    遮光層
６      光源
Ｍ      マーク
【図１】
2006160136.tif 000003
【図２】
2006160136.tif 000004
【図３】
2006160136.tif 000005
【図４】
2006160136.tif 000006
【図５】
2006160136.tif 000007
【図６】
2006160136.tif 000008
【図７】
2006160136.tif 000009
【図８】
2006160136.tif 000010